【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
熱交換器であって、
第１空気流および高圧冷媒の間の熱交換によって前記高圧冷媒から前記第１空気流に放熱させる熱交換コア（２３０）を備える放熱部（２０）と、
前記放熱部に対して上側に配置され、第２空気流および低圧冷媒の間の熱交換によって前記低圧冷媒を前記第２空気流から吸熱させて蒸発させる蒸発部（２２）と、
前記蒸発部および前記放熱部の間に配置され、前記蒸発部から生じる凝縮水を前記放熱部の前記熱交換コアのうち前記第１空気流の風上側に導くための導水部（２８３）と、を備え、
前記熱交換器は、前記蒸発部の熱交換によって前記蒸発部から生じる凝縮水を前記放熱部における前記熱交換コアのうち前記第１空気流の風上側に導いて、この導かれる凝縮水を前記熱交換コアに掛けて前記高圧冷媒から前記凝縮水に放熱させて前記凝縮水を気化させ、
前記放熱部および前記蒸発部が並ぶ方向に交差する方向を交差方向としたとき、前記導水部は、前記放熱部および前記蒸発部の間に配置されて、前記交差方向に拡がるように形成されており、
前記放熱部は、前記高圧冷媒を流通させる高圧冷媒流路（２０１ｃ）を備え、
前記蒸発部は、前記低圧冷媒を流通させる低圧冷媒流路（２２１ｃ）を備え、
前記放熱部および前記蒸発部は、第１熱交換プレート（３８１Ａ）、第２熱交換プレート（３８２Ａ）、第３熱交換プレート（３８１Ｂ）、および第４熱交換プレート（３８２Ｂ）を有して構成されており、
前記第１熱交換プレートは、前記第２熱交換プレートに対して所定方向（Ｄｓ）一方側に配置されており、
前記第２熱交換プレートは、前記第３熱交換プレートに対して前記所定方向一方側に配置されており、
前記第３熱交換プレートは、前記第４熱交換プレートに対して前記所定方向一方側に配置されており、
前記第１熱交換プレートおよび前記第２熱交換プレートは、互いに合わさるように配置されて、前記第１熱交換プレートおよび前記第２熱交換プレートの間には、前記高圧冷媒流路および前記低圧冷媒流路が形成されており、
前記第２熱交換プレートおよび前記第３熱交換プレートの間には、前記第１空気流が流れる第１空気流路（２０ａ）と前記第２空気流が流れる第２空気流路（２２ａ）とが形成されており、
前記第３熱交換プレートおよび前記第４熱交換プレートは、互いに合わさるように配置されて、前記第３熱交換プレートおよび前記第４熱交換プレートの間には、前記高圧冷媒流路および前記低圧冷媒流路が形成されており、
前記第１熱交換プレート、前記第２熱交換プレート、前記第３熱交換プレート、および前記第４熱交換プレートは、それぞれ、前記低圧冷媒流路および前記高圧冷媒流路の間に配置されて前記低圧冷媒流路を通過した前記低圧冷媒と前記高圧冷媒流路を通過した前記高圧冷媒との間で熱交換する内部熱交換部（２８）を構成し、
前記内部熱交換部は、前記第２空気流路で発生した前記凝縮水を前記熱交換コアのうち前記第１空気流の風上側に導くための前記導水部（２８３）を構成する、熱交換器。
【請求項２】
前記内部熱交換部は、
所定方向に延びる筒状に形成されて前記低圧冷媒流路を通過した前記低圧冷媒を流通させる外側筒部（２８１）と、
前記外側筒部の内側において前記所定方向に延びる筒状に形成されて前記高圧冷媒流路を通過した前記高圧冷媒を流通させる内側筒部（２８２）と、を備え、前記外側筒部内の前記低圧冷媒と前記内側筒部内の前記高圧冷媒との間で熱交換させ、
前記外側筒部のうち前記第２空気流路に向けて形成されている上側部位は、前記導水部（２８３）を構成する請求項１に記載の熱交換器。
【請求項３】
前記導水部を第１導水部としたとき、前記第２空気流路に対して下側に配置されて前記外側筒部に対して前記第１空気流の風下側に設けられて、前記第２空気流路で発生した前記凝縮水を前記第１導水部に導くための第２導水部（５０）を備える請求項２に記載の熱交換器。
【請求項４】
前記第２導水部は、前記凝縮水を前記第１導水部に導くために、前記第１空気流の風下側に進むほど上側に向かう傾斜状に形成されている請求項３に記載の熱交換器。
【請求項５】
前記蒸発部および前記放熱部は、減圧部（３２１ｅ）、圧縮機（１４）とともに、冷凍サイクルを構成し、
前記圧縮機は、前記蒸発部から流れる前記低圧冷媒を吸入し圧縮して前記高圧冷媒を吐出し、
前記放熱部は、前記圧縮機から吐出される前記高圧冷媒および前記第１空気流の間で熱交換させ、
前記減圧部は、前記放熱部から流れる前記高圧冷媒を減圧して前記低圧冷媒を排出し、
前記蒸発部は、前記減圧部から流れる前記低圧冷媒および前記第２空気流の間で熱交換させる請求項１ないし４のいずれか１つに記載の熱交換器。
【請求項６】
前記放熱部に流れる前記第１空気流の主流と、前記蒸発部に流れる前記第２空気流の主流とが、同一向きに流れ、
前記蒸発部のうち前記第２空気流の風上側が前記蒸発部のうち前記第２空気流の風下側よりも下側に配置されるように前記蒸発部が傾斜して配置されることにより、前記蒸発部が前記凝縮水を重力によって前記放熱部における前記熱交換コアのうち前記第１空気流の風上側に導くようになっている請求項１ないし５のいずれか１つに記載の熱交換器。
【請求項７】
前記放熱部に流れる前記第１空気流の主流と、前記蒸発部に流れる前記第２空気流の主流とが、互いに逆向きに流れ、
前記蒸発部のうち前記第２空気流の風下側が前記蒸発部のうち前記第２空気流の風上側よりも下側に配置されるように前記蒸発部が傾斜して配置されることにより、前記蒸発部が前記凝縮水を重力によって前記放熱部における前記熱交換コアのうち前記第１空気流の風上側に導くようになっている請求項１ないし５のいずれか１つに記載の熱交換器。
【手続補正２】
【補正対象書類名】明細書
【補正対象項目名】発明の名称
【補正方法】変更
【補正の内容】
【発明の名称】熱交換器
【手続補正３】
【補正対象書類名】明細書
【補正対象項目名】０００１
【補正方法】変更
【補正の内容】
【０００１】
本発明は、熱交換器に関するものである。
【手続補正４】
【補正対象書類名】明細書
【補正対象項目名】０００８
【補正方法】変更
【補正の内容】
【０００８】
本発明は上記点に鑑みて、蒸発部および放熱部を備える熱交換器において、蒸発部に生じる凝縮水を用いて放熱部における冷媒の冷却効果を向上するようにした熱交換器を提供することを目的とする。
【手続補正５】
【補正対象書類名】明細書
【補正対象項目名】０００９
【補正方法】変更
【補正の内容】
【０００９】
上記目的を達成するため、請求項１に記載の発明によれば、熱交換器は、
第１空気流および高圧冷媒の間の熱交換によって高圧冷媒から第１空気流に放熱させる熱交換コア（２３０）を備える放熱部（２０）と、
放熱部に対して上側に配置され、第２空気流および低圧冷媒の間の熱交換によって低圧冷媒を第２空気流から吸熱させて蒸発させる蒸発部（２２）と、
蒸発部および放熱部の間に配置され、蒸発部から生じる凝縮水を放熱部の熱交換コアのうち第１空気流の風上側に導くための導水部（２８３）と、を備え、
熱交換器は、蒸発部の熱交換によって蒸発部から生じる凝縮水を放熱部における熱交換コアのうち第１空気流の風上側に導いて、この導かれる凝縮水を熱交換コアに掛けて高圧冷媒から凝縮水に放熱させて凝縮水を気化させ、
放熱部および蒸発部が並ぶ方向に交差する方向を交差方向としたとき、導水部は、放熱部および蒸発部の間に配置されて、交差方向に拡がるように形成されており、
放熱部は、高圧冷媒を流通させる高圧冷媒流路（２０１ｃ）を備え、
蒸発部は、低圧冷媒を流通させる低圧冷媒流路（２２１ｃ）を備え、
放熱部および蒸発部は、第１熱交換プレート（３８１Ａ）、第２熱交換プレート（３８２Ａ）、第３熱交換プレート（３８１Ｂ）、および第４熱交換プレート（３８２Ｂ）を有して構成されており、
第１熱交換プレートは、第２熱交換プレートに対して所定方向（Ｄｓ）一方側に配置されており、
第２熱交換プレートは、第３熱交換プレートに対して所定方向一方側に配置されており、
第３熱交換プレートは、第４熱交換プレートに対して所定方向一方側に配置されており、
第１熱交換プレートおよび第２熱交換プレートは、互いに合わさるように配置されて、第１熱交換プレートおよび第２熱交換プレートの間には、高圧冷媒流路および低圧冷媒流路が形成されており、
第２熱交換プレートおよび第３熱交換プレートの間には、第１空気流が流れる第１空気流路（２０ａ）と第２空気流が流れる第２空気流路（２２ａ）とが形成されており、
第３熱交換プレートおよび第４熱交換プレートは、互いに合わさるように配置されて、第３熱交換プレートおよび第４熱交換プレートの間には、高圧冷媒流路および低圧冷媒流路が形成されており、
第１熱交換プレート、第２熱交換プレート、第３熱交換プレート、および第４熱交換プレートは、それぞれ、低圧冷媒流路および高圧冷媒流路の間に配置されて低圧冷媒流路を通過した低圧冷媒と高圧冷媒流路を通過した高圧冷媒との間で熱交換する内部熱交換部（２８）を構成し、
内部熱交換部は、第２空気流路で発生した凝縮水を熱交換コアのうち第１空気流の風上側に導くための導水部（２８３）を構成する。
【手続補正６】
【補正対象書類名】明細書
【補正対象項目名】００１０
【補正方法】変更
【補正の内容】
【００１０】
これによれば、高圧冷媒から気化熱を凝縮水に移動させることができるので、凝縮水を用いて高圧冷媒を冷却することができる。これにより、蒸発部に生じる凝縮水を用いて放熱部における冷媒の冷却効果を向上するようにした熱交換器を提供することができる。